(57)【特許請求の範囲】
【請求項１】
出力電圧と出力定電圧に対応させた参照電圧との差を検出する第１の誤差増幅器と、出力電流を電圧に変換した電圧と出力定電流に対応させた参照電圧との差を検出する第２の誤差増幅器とを備えた定電圧、定電流直流電源装置であって、
定電圧動作状態であることを示す状態信号、定電流動作状態であることを示す状態信号を出力し、
定電圧、定電流直流電源装置が非制御状態のとき第１および第２の誤差増幅器の参照電圧を０Ｖ未満にプルダウンさせ、かつ定電圧、定電流直流電源装置が定電圧、定電流制御状態のとき参照電圧を第１および第２の誤差増幅器に印加させる選択手段を有する定電圧、定電流状態信号出力装置において、
第１の誤差増幅器の出力電圧が一端に印加され、第２の誤差増幅器の出力電圧が他端に印加され、かつ第１のダイオードを介して第１の誤差増幅器の出力電圧により駆動されて定電圧、定電流直流電源装置が定電圧動作状態であることを示す第１の状態信号を出力する第１の出力手段と、
第２の誤差増幅器の出力電圧が一端に印加され、第１の誤差増幅器の出力電圧が他端に印加され、かつ第２のダイオードを介して第２の誤差増幅器の出力電圧により駆動されて定電圧、定電流直流電源装置が定電流動作状態であることを示す第２の状態信号を出力する第２の出力手段と
を備え、
定電圧、定電流直流電源装置が非制御状態であるときは、前記第１および第２の状態信号を出力しないことを特徴とする定電圧、定電流状態信号出力装置。
【請求項２】
出力電圧と出力定電圧に対応させた参照電圧との差を検出する第１の誤差増幅器と、出力電流を電圧に変換した電圧と出力定電流に対応させた参照電圧との差を検出する第２の誤差増幅器とを備えた定電圧、定電流直流電源装置であって、
定電圧動作状態であることを示す状態信号、定電流動作状態であることを示す状態信号を出力し、
定電圧、定電流直流電源装置が非制御状態のとき第１および第２の誤差増幅器の参照電圧を０Ｖ未満にプルダウンさせ、かつ定電圧、定電流直流電源装置が定電圧、定電流制御状態のとき参照電圧を第１および第２の誤差増幅器に印加させる選択手段を有する定電圧、定電流状態信号出力装置において、
第１の誤差増幅器の出力を入力とする第１のバッファ増幅器と、
第２の誤差増幅器の出力を入力とする第２のバッファ増幅器と、
第１のバッファ増幅器の出力電圧が一端に印加され、第２のバッファ増幅器の出力電圧が他端に印加され、かつ第１のダイオードを介して第１のバッファ増幅器の出力電圧により駆動されて定電圧、定電流直流電源装置が定電圧動作状態であることを示す第１の状態信号を出力する第１の出力手段と、
第２のバッファ増幅器の出力電圧が一端に印加され、第１のバッファ増幅器の出力電圧が他端に印加され、かつ第２のダイオードを介して第２のバッファ増幅器の出力電圧により駆動されて定電圧、定電流直流電源装置が定電流動作状態であることを示す第２の状態信号を出力する第２の出力手段と
を備え、
定電圧、定電流直流電源装置が非制御状態であるときは、前記第１および第２の状態信号を出力しないことを特徴とする定電圧、定電流状態信号出力装置。
【発明の詳細な説明】
【０００１】
【発明の属する技術分野】
本発明は定電圧、定電流直流電源装置において定電圧動作状態であることを示す状態信号、定電流動作状態であることを示す状態信号を出力する定電圧、定電流状態信号出力装置に関する。
【０００２】
【従来の技術】
従来のこの種の定電圧、定電流状態信号出力装置は、図４および図６に示すように構成されている。
【０００３】
まず、図４および図６に示す定電圧、定電流状態信号出力装置３０および４０における定電圧、定電流直流電源装置５について説明する。定電圧、定電流直流電源装置５はステップダウン変圧器１、整流回路２、定電圧、定電流出力制御のためのトランジスタＴｒ１、ブリーダー抵抗３、出力電流を電圧に変換する抵抗４と、定電圧、定電流直流電源装置５からの出力電圧Ｖ０＝ＶＦＢと出力定電圧に対応させた参照電圧Ｖｒｅｆとの差を検出する誤差増幅器Ａ１と、定電圧、定電流直流電源装置５からの出力電流を抵抗４によって変換した電圧を増幅する増幅器Ａ６と、増幅器Ａ６の出力電圧、すなわち定電圧、定電流直流電源装置５からの出力電流を電圧に変換した出力電圧ＣＦＢと出力定電流に対応させた参照電圧Ｃｒｅｆとの差を検出する誤差増幅器Ａ２と、誤差増幅器Ａ１の出力電圧と誤差増幅器Ａ２の出力電圧を加算してトランジスタＴｒ１のコレクターエミッタ間の抵抗を制御する増幅器Ａ５を備えている。
【０００４】
定電圧、定電流直流電源装置５には、さらに、参照電圧ＶｒｅｆおよびＣｒｅｆを選択的に０Ｖ未満にプルダウンさせるダイオードＤ３、Ｄ４、スイッチＳ１および抵抗Ｒ４からなる選択手段と、スイッチＳ１と連動してオンオフされて増幅器Ａ５の出力を選択的に−Ｖ２にプルダウンしてトランジスタＴｒ１を選択的にオフ状態にするスイッチＳ４を備えている。
【０００５】
上記の定電圧、定電流直流電源装置５において、スイッチＳ４がオン状態ではトランジスタＴＲ１のベースが−Ｖ２にプルダウンされて、トランジスタＴｒ１はオフ状態である。スイッチＳ１はスイッチＳ４と連動してオン状態にされて参照電圧Ｖｒｅｆ、Ｃｒｅｆは抵抗Ｒ４を介して電源−Ｖ２に接続され、誤差増幅器Ａ１、Ａ２の反転入力端子は０Ｖ未満にプルダウンされて、出力が送出されない状態にされる。この状態を定電圧、定電流直流電源装置５が定電圧、定電流制御動作をしていない定電圧、定電流非制御状態と記す（本明細書において定電圧、定電流非制御状態を単に非制御状態とも記す）。
【０００６】
非制御状態では、誤差増幅器Ａ１、Ａ２の出力電圧は出力電圧ＶＦＢ＝０Ｖ、参照電圧Ｖｒｅｆ＜０Ｖ、出力電圧ＣＦＢ＝０Ｖ、参照電圧Ｃｒｅｆ＜０Ｖであって、出力電圧ＶＦＢ＞参照電圧Ｖｒｅｆ、出力電圧ＣＦＢ＞参照電圧Ｃｒｅｆとなっていて、誤差増幅器Ａ１、Ａ２の出力電圧は共に、電源電圧＋Ｖ１となっている。
【０００７】
スイッチＳ１とＳ４を連動してオフ状態にすることにより定電圧、定電流直流電源装置５は出力送出状態となり、トランジスタＴｒ１のベースに増幅器Ａ５の出力電流が供給されて、定電圧、定電流直流電源装置５の出力電圧Ｖ０が生ずる。スイッチＳ４と連動してスイッチＳ１がオフ状態にされるため、出力電圧Ｖ０＝出力電圧ＶＦＢが参照電圧Ｖｒｅｆと同じ電圧になるように誤差増幅器Ａ１の出力がダイオードＤ５、抵抗Ｒ１を介して増幅器Ａ５へ供給され、増幅器Ａ５はトランジスタＴｒ１を駆動する。
【０００８】
ここで、フィードバック動作について説明する。定電圧制御のとき、参照電圧Ｖｒｅｆより出力電圧ＶＦＢが僅かでも大きくなると、誤差増幅器Ａ１の出力は＋方向へ動き、増幅器Ａ５の反転入力端子へ入力され、増幅器Ａ５の出力は−方向へ動き、トランジスタＴｒ１の出力を減少させる方向となり、出力電圧Ｖ０＝出力電圧ＶＦＢが低下して参照電圧Ｖｒｅｆと同じ電圧となる。
【０００９】
参照電圧Ｖｒｅｆより出力電圧ＶＦＢが僅かに低下すると、誤差増幅器Ａ１の出力は−方向へ動き、増幅器Ａ５の反転入力端子へ入力され、増幅器Ａ５の出力は＋方向へ動き、トランジスタＴｒ１の出力を増加させる方向となり、出力電圧Ｖ０＝出力電圧ＶＦＢが増加して参照電圧Ｖｒｅｆと同じ電圧となる。
【００１０】
この動作を繰り返して、出力電圧Ｖ０＝出力電圧ＶＦＢが参照電圧Ｖｒｅｆで設定された電圧に制御される。また、ブリーダ抵抗３は無負荷時にトランジスタＴｒ１に全く電流が流れていないと出力が安定しないため、僅かに負荷となるように設けたブリーダ作用を行う。
【００１１】
一方、誤差増幅器Ａ２の抵抗４、増幅器Ａ６により出力電流が電圧に変換され、電圧に変換された出力電圧ＣＦＢが誤差増幅器Ａ２の非反転入力端子に印加され、出力定電流に対応させた予め定めた参照電圧Ｃｒｅｆが反転入力端子に印加されている。定電圧、定電流直流電源装置５に負荷が接続されていて、出力電圧ＣＦＢが参照電圧Ｃｒｅｆ＞ＣＦＢの状態のときは、誤差増幅器Ａ２の出力はほぼ−Ｖ２となって、ダイオードＤ６により増幅器Ａ５へは入力されず、定電圧、定電流直流電源装置５は、誤差増幅器Ａ１の出力による制御状態となる。この状態が定電圧制御状態である。
【００１２】
上記の状態から負荷を重くしていくと、定電圧、定電流直流電源装置５の出力電流が増加し、出力電圧ＣＦＢが参照電圧Ｃｒｅｆを超えると誤差増幅器Ａ２の出力は＋側へ移動し、誤差増幅器Ａ２の出力はダイオードＤ６、抵抗Ｒ２を介して増幅器Ａ５の反転入力端子に印加される。
【００１３】
フィードバック動作としては、上記の参照電圧Ｖｒｅｆを参照電圧Ｃｒｅｆに、出力電圧Ｖ０＝ＶＦＢを出力電圧ＣＦＢに、誤差増幅器Ａ１を誤差増幅器Ａ２に、ダイオードＤ５をダイオードＤ６に、抵抗Ｒ１を抵抗Ｒ２に置き換えたのと同様の作用をする。
【００１４】
こことき、定電圧、定電流直流電源装置５の負荷電流をＩとし、定電圧、定電流直流電源装置５の負荷をＲとしたとき、定電圧、定電流直流電源装置５の出力電圧Ｖ０はＶ０＝Ｉ・Ｒであり、負荷Ｒが重くなると抵抗Ｒの値が小さくなるので、Ｖ０＝ＶＦＢ＜Ｖｒｅｆとなって、誤差増幅器Ａ１の出力はほぼ−Ｖ２となり、誤差増幅器Ａ１の出力はダイオードＤ５によって増幅器Ａ５へは入力されず、トランジスタＴｒ１は誤差増幅器Ａ２による制御となる。この状態が定電流制御状態である。以下、定電圧制御状態および定電流制御状態を単に制御状態とも記す。
【００１５】
上記のように、定電圧、定電流直流電源装置５の動作状態を検出するのには、誤差増幅器Ａ１、Ａ２の出力状態によって判定することができる。
【００１６】
定電圧、定電流状態信号出力回路３０は、誤差増幅器Ａ１の出力を増幅するバッファ増幅器Ａ３と、バッファ増幅器Ａ３の出力をオン／オフするスイッチＳ２と、ダイオードＤ１を介してスイッチＳ２からの出力を受けて定電圧、定電流直流電源装置５が定電圧動作状態であることを示す状態信号を出力するための、発光ダイオードおよびホトトランジスタとからなるホトカプラＰＣ１と、ホトカプラＰＣ１の電流制限のための抵抗Ｒ１３と、ダイオードＤ２を介してスイッチＳ２からの出力を受けて定電圧、定電流直流電源装置５が定電流動作状態であることを示す状態信号を出力するための、発光ダイオードおよびホトトランジスタとからなるホトカプラＰＣ２と、ホトカプラＰＣ２の電流制限のための抵抗Ｒ１４とを備えている。ダイオードＤ２およびホトカプラＰＣ２はダイオードＤ１およびホトカプラＰＣ１と逆極性に接続してある。
【００１７】
定電圧、定電流状態信号出力装置３０は定電圧、定電流直流電源装置５が定電圧動作状態、定電流動作状態のときにはスイッチＳ１およびＳ４がオフ状態に制御され、スイッチＳ２はオン状態に制御される。定電圧、定電流直流電源装置５が定電圧動作状態のときは誤差増幅器Ａ１の非反転入力端子に印加される電圧ＶＦＢは電圧ＶＦＢ＝参照電圧Ｖｒｅｆとなるように、誤差増幅器Ａ１の出力電圧は＋側動作点の電圧になって、誤差増幅器Ａ１の出力電圧はバッファ増幅器Ａ３に印加され、バッファ増幅器Ａ３の出力電圧はほぼ電源電圧＋Ｖ１になって、ダイオードＤ１およびＤ２に印加される。
【００１８】
したがって、ダイオードＤ１のみが順方向バイアスとなってダイオードＤ１を介してホトカプラＰＣ１が駆動されて、ホトカプラＰＣ１によって定電圧、定電流直流電源装置５が定電圧動作状態であることを示す状態信号が得られる。
【００１９】
定電圧、定電流直流電源装置５が定電流動作状態のときは、誤差増幅器Ａ１の非反転入力端子には定電圧、定電流直流電源装置５からの出力電圧ＶＦＢが印加されるが、定電流出力動作をしているときの出力電圧ＶＦＢは出力電圧ＶＦＢ≦参照電圧Ｖｒｅｆであり、誤差増幅器Ａ１の出力電圧はほぼ電源電圧−Ｖ２になって、誤差増幅器Ａ１の出力電圧はバッファ増幅器Ａ３を介してダイオードＤ１およびＤ２に印加される。
【００２０】
したがって、ダイオードＤ２のみが順方向バイアスとなってダイオードＤ２を介してホトカプラＰＣ２が駆動されて、ホトカプラＰＣ２によって定電圧、定電流直流電源装置５が定電流動作状態であることを示す状態信号が得られる。
【００２１】
なお、スイッチＳ１およびＳ４がオフ状態に制御され、定電圧、定電流直流電源装置５が定電流出力動作をしているときには電圧ＣＦＢは電圧ＣＦＢ＝参照電圧Ｃｒｅｆとなるように、誤差増幅器Ａ２の出力電圧はほぼ＋側動作点の電圧となる。スイッチＳ１およびＳ４がオフ状態に制御され、定電圧、定電流直流電源装置５が定電圧出力動作のときには出力電圧ＣＦＢは出力電圧ＣＦＢ≦参照電圧Ｃｒｅｆであって、誤差増幅器Ａ２の出力電圧はほぼ電源電圧−Ｖ２となる。しかし、この両方の場合において、誤差増幅器Ａ２の出力電圧によりホトカプラＰＣ２の駆動を制御することはない。
【００２２】
上記の動作を模式的に示せば図５に示す如くであって、図５においてＯＦＦは定電圧、定電流直流電源装置５が非制御状態、すなわちスイッチＳ１およびＳ４がオン状態にされている場合を示し、図５においてＯＮは定電圧、定電流直流電源装置５が定電圧、定電流制御状態、すなわちスイッチＳ１およびＳ４がオフ状態にされている場合を示し、図５においてＣＶは定電圧、定電流直流電源装置５が定電圧動作状態の場合を示し、図５においてＣＣは定電圧、定電流直流電源装置５が定電流動作状態の場合を示している。
【００２３】
また、図５（ａ）は誤差増幅器Ａ１の出力電圧を、図５（ｂ）は誤差増幅器Ａ２の出力電圧を、図５（ｃ）は増幅器Ａ３の出力電圧を、図５（ｄ）はホトカプラＰＣ１による状態信号、すなわち定電圧動作状態の状態信号を、図５（ｅ）はホトカプラＰＣ２による状態信号、すなわち定電流動作状態の状態信号をそれぞれ示している。
【００２４】
定電圧、定電流直流電源装置５が非制御状態のときはスイッチＳ１およびＳ４がオン状態にされる。スイッチＳ１およびＳ４がオン状態にされることによって、誤差増幅器Ａ１およびＡ２の反転入力端子は０Ｖ未満にプルダウンされて、参照電圧Ｖｒｅｆ、Ｃｒｅｆは０Ｖ未満付近になる。一方、誤差増幅器Ａ１およびＡ２の非反転入力端子は参照電圧Ｖｒｅｆ、Ｃｒｅｆより僅かに高い電位となり、誤差増幅器Ａ１の出力電圧および誤差増幅器Ａ２の出力電圧はほぼ電源電圧＋Ｖ１になる。この結果、ホトカプラＰＣ１が駆動され、ホトカプラＰＣ１によって定電圧動作状態である状態信号が出力される。
【００２５】
したがって、定電圧動作状態でなくても、定電圧動作状態であることを示す状態信号が出力されるという不都合が生ずる。さらに、誤差増幅器Ａ２が高電位出力を発生しているのにホトカプラＰＣ１が駆動されるのは好ましくない。この不都合を解消するために、定電圧、定電流直流電源装置５が定電圧、定電流制御状態のときにオン状態にするスイッチＳ２を設けて、定電圧、定電流直流電源装置５が定電圧、定電流制御状態と非制御状態とに連動してオン／オフさせ、定電圧、定電流直流電源装置５が非制御状態のときにスイッチＳ２をオフ状態にすることにより、表示動作がなされないようにしている。
【００２６】
図６に示す定電圧、定電流状態信号出力装置４０は、定電圧、定電流状態信号出力装置３０に、さらに誤差増幅器Ａ２の出力電圧を増幅するバッファ増幅器Ａ４を設けると共に、スイッチＳ２と連動して作用するスイッチＳ３を介して、バッファ増幅器Ａ３の出力電圧に代わってバッファ増幅器Ａ４の出力電圧によりダイオードＤ２およびホトカプラＰＣ２を、抵抗Ｒ１４を通して駆動するように構成したものである。
【００２７】
このように構成された定電圧、定電流状態信号出力装置４０の作用は、定電圧、定電流状態信号出力装置３０の場合とほぼ同様であるが、定電圧、定電流直流電源装置５が定電流出力動作のときの状態信号は増幅器Ａ４からの出力に基づいて独立してなされることになる。
【００２８】
定電圧、定電流状態信号出力装置４０による場合の作用は、図５と同様に示せば、図７に示す如くである。図７（ａ）は誤差増幅器Ａ１の出力電圧を、図７（ｂ）は誤差増幅器Ａ２の出力電圧を、図７（ｃ）は増幅器Ａ３の出力電圧を、図７（ｄ）は増幅器Ａ４の出力電圧を、図７（ｅ）はホトカプラＰＣ１による状態信号、すなわち定電圧動作状態の状態信号を、図７（ｆ）はホトカプラＰＣ２による状態信号、すなわち定電流動作状態の状態信号をそれぞれ示している。
【００２９】
定電圧、定電流状態信号出力装置４０によるときには、スイッチＳ１およびＳ４は定電圧、定電流直流電源装置５が非制御状態のときにはオン状態にされて、スイッチＳ１およびＳ４がオン状態にされることによって誤差増幅器Ａ１およびＡ２の反転入力端子は０Ｖ未満にプルダウンされて、参照電圧Ｖｒｅｆ、Ｃｒｅｆは０Ｖ未満付近になる。一方、誤差増幅器Ａ１およびＡ２の非反転入力端子は参照電圧Ｖｒｅｆ、Ｃｒｅｆよりも僅かに高い電位になり、誤差増幅器Ａ１およびＡ２の出力電圧はほぼ電源電圧＋Ｖ１になる。この結果、ホトカプラＰＣ１およびＰＣ２が駆動されホトカプラＰＣ１およびＰＣ２の出力によって定電圧動作状態および定電流動作状態を示す状態信号が同時に出力されるという不都合が生ずる。
【００３０】
この不都合を解消するために、定電圧、定電流直流電源装置５の定電圧、定電流制御状態／非制御状態に連動してオン／オフさせるスイッチＳ２およびＳ３を設ける必要が生じ、さらに非制御状態のときに、スイッチＳ１およびＳ４をオン状態にするよりも時間的に先にスイッチＳ２およびＳ３をオフ状態にする必要がある。またさらに、定電圧、定電流直流電源装置５の動作開始時において、スイッチＳ２およびＳ３は定電圧、定電流直流電源装置５のフィードバックループの動作が安定するまでの時間を待ってオン状態にすることが必要になる。
【００３１】
【発明が解決しようとする課題】
上記した従来の定電圧、定電流状態信号出力装置３０によるときは、状態信号を出力させないためにスイッチＳ２を設ける必要があるという問題点のほかに、定電圧動作状態を検出する増幅器の出力のみによって定電圧動作状態と定電流動作状態とを判別しているために、定電流動作状態であることを示す動作状態信号が正しく送出されないという問題点があった。
【００３２】
上記した従来の定電圧、定電流状態信号出力装置４０によるときは、状態信号を出力させないためにスイッチＳ２およびＳ３を設ける必要があるという問題点のほかに、スイッチＳ１およびＳ４をオン状態にするよりも時間的に先にスイッチＳ２およびＳ３をオフ状態にしたり、定電圧、定電流直流電源装置５の動作開始時に定電圧、定電流直流電源装置５のフィードバックループの動作が安定するまでの時間を待ってスイッチＳ２およびＳ３をオン状態にする必要があるという問題点があった。
【００３３】
本発明は、定電流動作状態および定電圧動作状態の検出が独立してなされ、状態信号が独立して出力され、かつ状態信号の出力／非出力のために連動してオン／オフさせるスイッチを不要にした定電圧、定電流状態信号出力装置を提供することを目的とする。
【００３４】
【課題を解決するための手段】
本発明の請求項１にかかる定電圧、定電流状態信号出力装置は、出力電圧と出力定電圧に対応させた参照電圧との差を検出する第１の誤差増幅器と、出力電流を電圧に変換した電圧と出力定電流に対応させた参照電圧との差を検出する第２の誤差増幅器とを備えた定電圧、定電流直流電源装置であって、
定電圧動作状態であることを示す状態信号、定電流動作状態であることを示す状態信号を出力し、
定電圧、定電流直流電源装置が非制御状態のとき第１および第２の誤差増幅器の参照電圧を０Ｖ未満にプルダウンさせ、かつ定電圧、定電流直流電源装置が定電圧、定電流制御状態のとき参照電圧を第１および第２の誤差増幅器に印加させる選択手段を有する定電圧、定電流状態信号出力装置において、
第１の誤差増幅器の出力電圧が一端に印加され、第２の誤差増幅器の出力電圧が他端に印加され、かつ第１のダイオードを介して第１の誤差増幅器の出力電圧により駆動されて定電圧、定電流直流電源装置が定電圧動作状態であることを示す第１の状態信号を出力する第１の出力手段と、
第２の誤差増幅器の出力電圧が一端に印加され、第１の誤差増幅器の出力電圧が他端に印加され、かつ第２のダイオードを介して第２の誤差増幅器の出力電圧により駆動されて定電圧、定電流直流電源装置が定電流動作状態であることを示す第２の状態信号を出力する第２の出力手段と
を備え、
定電圧、定電流直流電源装置が非制御状態であるときは、前記第１および第２の状態信号を出力しないことを特徴とする。
【００３５】
本発明の請求項１にかかる定電圧、定電流状態信号出力装置によれば、定電圧、定電流直流電源装置が定電圧、定電流制御状態のときに第１および第２の誤差増幅器に参照電圧が印加され、定電圧、定電流直流電源装置が定電圧動作をしているとき第１の誤差増幅器から＋側動作点の電圧が出力され、かつ第２の誤差増幅器からほぼ負の電源電圧が出力されて、第１の出力手段によって定電圧、定電流直流電源装置が定電圧動作状態であることを示す状態信号が独立して出力される。定電圧、定電流直流電源装置が定電流動作をしているとき第１の誤差増幅器からほぼ負の電源電圧が出力され、第２の誤差増幅器からほぼ正の電源電圧が出力されて、第２の出力手段によって定電圧、定電流直流電源装置が定電流動作状態であることを示す状態信号が独立して出力される。
【００３６】
一方、本発明の請求項１にかかる定電圧、定電流状態信号出力装置によれば、定電圧、定電流直流電源装置が非制御状態のときには参照電圧は０Ｖ未満にプルダウンされて、第１の誤差増幅器からほぼ正の電源電圧が出力され、第２の誤差増幅器からもほぼ正の電源電圧が出力されて、第１および第２の出力手段は駆動されず、定電圧、定電流直流電源装置の動作状態を示す状態信号が出力されることはない。
【００３７】
本発明の請求項２にかかる定電圧、定電流状態信号出力装置は、出力電圧と出力定電圧に対応させた参照電圧との差を検出する第１の誤差増幅器と、出力電流を電圧に変換した電圧と出力定電流に対応させた参照電圧との差を検出する第２の誤差増幅器とを備えた定電圧、定電流直流電源装置であって、
定電圧動作状態であることを示す状態信号、定電流動作状態であることを示す状態信号を出力し、
定電圧、定電流直流電源装置が非制御状態のとき第１および第２の誤差増幅器の参照電圧を０Ｖ未満にプルダウンさせ、かつ定電圧、定電流直流電源装置が定電圧、定電流制御状態のとき参照電圧を第１および第２の誤差増幅器に印加させる選択手段を有する定電圧、定電流状態信号出力装置において、
第１の誤差増幅器の出力を入力とする第１のバッファ増幅器と、
第２の誤差増幅器の出力を入力とする第２のバッファ増幅器と、
第１のバッファ増幅器の出力電圧が一端に印加され、第２のバッファ増幅器の出力電圧が他端に印加され、かつ第１のダイオードを介して第１のバッファ増幅器の出力電圧により駆動されて定電圧、定電流直流電源装置が定電圧動作状態であることを示す第１の状態信号を出力する第１の出力手段と、
第２のバッファ増幅器の出力電圧が一端に印加され、第１のバッファ増幅器の出力電圧が他端に印加され、かつ第２のダイオードを介して第２のバッファ増幅器の出力電圧により駆動されて定電圧、定電流直流電源装置が定電流動作状態であることを示す第２の状態信号を出力する第２の出力手段と
を備え、
定電圧、定電流直流電源装置が非制御状態であるときは、前記第１および第２の状態信号を出力しないことを特徴とする。
【００３８】
本発明の請求項２にかかる定電圧、定電流状態信号出力装置によれば、定電圧、定電流直流電源装置が定電圧、定電流制御状態のときに第１および第２の誤差増幅器に参照電圧が印加され、定電圧、定電流直流電源装置が定電圧動作をしているとき第１の誤差増幅器から＋側動作点の電圧が出力され、かつ第２の誤差増幅器からほぼ負の電源電圧が出力され、第１の誤差増幅器の出力電圧を受けた第１のバッファ増幅器からほぼ正の電源電圧が出力され、第２の誤差増幅器の出力電圧を受けた第２のバッファ増幅器からほぼ負の電源電圧が出力されて、第１の出力手段によって定電圧、定電流直流電源装置が定電圧動作状態であることを示す状態信号が独立して出力される。定電圧、定電流直流電源装置が定電流動作をしているとき第１の誤差増幅器の出力電圧を受けた第１のバッファ増幅器からほぼ負の電源電圧が出力され、第２の誤差増幅器の出力電圧を受けた第２のバッファ増幅器からほぼ正の電源電圧が出力されて、第２の出力手段によって定電圧、定電流直流電源装置が定電流動作状態であることを示す状態信号が独立して出力される。
【００３９】
一方、本発明の請求項２にかかる定電圧、定電流状態信号出力装置によれば、定電圧、定電流直流電源装置が非制御状態のときには参照電圧は０Ｖ未満にプルダウンされて、第１の誤差増幅器の出力電圧を受けた第１のバッファ増幅器からほぼ正の電源電圧が出力され、第２の誤差増幅器の出力電圧を受けた第２のバッファ増幅器からもほぼ正の電源電圧が出力されて、第１および第２の出力手段は駆動されず、定電圧、定電流直流電源装置の動作状態を示す状態信号が出力されることはない。
【００４０】
【発明の実施の形態】
以下、本発明にかかる定電圧、定電流状態信号出力装置を実施の形態によって説明する。
【００４１】
図１は本発明の実施の一形態にかかる定電圧、定電流状態信号出力装置の構成を示すブロック図である。
【００４２】
本発明の実施の一形態にかかる定電圧、定電流状態信号出力装置１０において図４および図６における定電圧、定電流状態信号出力装置３０および４０の構成要素と同一の構成要素には同一の符号を付して示し、重複を避けるため、その説明は省略する。
【００４３】
定電圧、定電流状態信号出力装置１０は、バッファ増幅器Ａ３の出力端とバッファ増幅器Ａ４の出力端の間に、バッファ増幅器Ａ３の出力によって電流制限用の抵抗Ｒ５を介して駆動されるダイオードＤ１およびホトカプラＰＣ１を接続し、バッファ増幅器Ａ４の出力端とバッファ増幅器Ａ３の出力端の間に、バッファ増幅器Ａ４の出力によって電流制限用の抵抗Ｒ６を介して駆動されるダイオードＤ２およびホトカプラＰＣ２を接続して構成してあり、その他の構成は定電圧、定電流状態信号出力装置４０と同一である。
【００４４】
ここで、ダイオードＤ１、ホトカプラＰＣ１および抵抗Ｒ５は出力手段を構成しており、ダイオードＤ２、ホトカプラＰＣ２および抵抗Ｒ６は出力手段を構成している。
【００４５】
さらに、定電圧、定電流状態信号出力装置１０において、定電圧、定電流直流電源装置５が定電圧、定電流制御状態すなわちスイッチＳ１およびＳ４がオフ状態であって、定電圧、定電流直流電源装置５が定電圧動作状態のときは、出力電圧ＶＦＢは出力電圧ＶＦＢ＞参照電圧Ｖｒｅｆであり、出力電圧ＣＦＢは出力電圧ＣＦＢ＝参照電圧Ｃｒｅｆである。
【００４６】
したがって、定電圧、定電流直流電源装置５が定電圧動作状態のときは、誤差増幅器Ａ１の出力電圧はほぼ＋側動作点の電圧であり、バッファ増幅器Ａ３の出力電圧はほぼ電源電圧＋Ｖ１であり、誤差増幅器Ａ２の出力電圧はほぼ電源電圧−Ｖ２であり、バッファ増幅器Ａ４の出力電圧もほぼ電源電圧−Ｖ２であって、バッファ増幅器Ａ３の出力電圧によってダイオードＤ１を介してホトカプラＰＣ１は順方向にバイアスされて、抵抗Ｒ５により制限された電流が流れ、ホトカプラＰＣ１が駆動されてホトカプラＰＣ１によって定電圧、定電圧、定電流直流電源装置５が定電圧動作状態であることを示す状態信号が出力される。
【００４７】
このときには、バッファ増幅器Ａ４の出力電圧はほぼ電源電圧−Ｖ２であるためホトカプラＰＣ２はダイオードＤ２を介して逆バイアスとなってホトカプラＰＣ２は駆動されず、定電圧、定電圧、定電流直流電源装置が定電流動作状態であることを示す状態信号が出力されない。
【００４８】
スイッチＳ１およびＳ４がオフ状態であって、定電圧、定電流直流電源装置５が定電流動作状態のときは、出力電圧ＣＦＢは出力電圧ＣＦＢ＞参照電圧Ｃｒｅｆであり、出力電圧ＶＦＢは出力電圧ＶＦＢ≦参照電圧Ｖｒｅｆである。
【００４９】
したがって、定電圧、定電流直流電源装置５が定電流動作状態のときは、誤差増幅器Ａ２の出力電圧はほぼ電源電圧＋Ｖ１であり、バッファ増幅器Ａ４の出力電圧もほぼ電源電圧＋Ｖ１であり、誤差増幅器Ａ１の出力電圧はほぼ電源電圧−Ｖ２であり、バッファ増幅器Ａ３の出力電圧もほぼ電源電圧−Ｖ２であって、バッファ増幅器Ａ４の出力電圧によってダイオードＤ２を介してホトカプラＰＣ２は順方向にバイアスされて、抗Ｒ６により制限された電流が流れ、ホトカプラＰＣ２が駆動されホトカプラＰＣ２によって定電圧、定電圧、定電流直流電源装置５が定電流動作状態であることを示す状態信号が出力される。
【００５０】
このときには、バッファ増幅器Ａ３の出力電圧はほぼ電源電圧−Ｖ２であるためホトカプラＰＣ１はダイオードＤ１を介して逆バイアスとなってホトカプラＰＣ１は駆動されず、定電圧、定電流直流電源装置が定電圧動作状態であるであることを示す状態信号が出力されない。
【００５１】
定電圧、定電流状態信号出力装置１０において、定電圧、定電流直流電源装置５が非制御状態、すなわちスイッチＳ１およびＳ４がオン状態になったときは、定電圧、定電流直流電源装置５は制御されていない状態、すなわち定電圧状態でも定電流状態でもない状態であって、通常は出力電圧ＶＦＢ＞参照電圧Ｖｒｅｆおよび出力電圧ＣＦＢ＞参照電圧Ｃｒｅｆである。したがって、誤差増幅器Ａ１およびＡ２、バッファ増幅器Ａ３およびＡ４の出力電圧はほぼ電源電圧＋Ｖ１であって、ホトカプラＰＣ１およびＰＣ２に電流が流れず、定電圧、定電流直流電源装置５の動作状態を示す状態信号が出力されない。
【００５２】
また、定電圧、定電流状態信号出力装置１０において、定電圧、定電流直流電源装置５が非制御状態、すなわちスイッチＳ１およびＳ４がオン状態になったときは、定電圧、定電流直流電源装置５は制御されていない状態、すなわち定電圧状態でも定電流状態でもない状態であって、何らかの理由によって出力電圧ＶＦＢ≦参照電圧Ｖｒｅｆおよび出力電圧ＣＦＢ≦参照電圧Ｃｒｅｆとなった場合でも、誤差増幅器Ａ１およびＡ２、バッファ増幅器Ａ３およびＡ４の出力電圧はほぼ電源電圧−Ｖ２であって、ホトカプラＰＣ１およびＰＣ２に電流が流れず、定電圧、定電流直流電源装置５の動作状態を示す状態信号が出力されない。
【００５３】
定電圧、定電流状態信号出力装置１０の動作を図５の場合と同様に示せば、図２に示す如くである。図２（ａ）は誤差増幅器Ａ１の出力電圧を示し、図２（ｂ）は誤差増幅器Ａ２の出力電圧を示し、図２（ｃ）は増幅器Ａ３の出力電圧を示し、図２（ｄ）は増幅器Ａ４の出力電圧を示し、図２（ｅ）は定電圧動作状態であることを示す状態信号を示し、図２（ｆ）は定電流動作状態であることを示す状態信号を示している。
【００５４】
したがって、定電圧、定電流状態信号出力装置１０によれば、定電圧、定電流直流電源装置５が制御状態における動作状態を示す状態信号の出力において、定電圧動作状態であることを示す状態信号、定電流動作状態であることを示す状態信号は独立して検出されて出力され、かつ従来必要としたスイッチＳ２およびＳ３を必要としない。また、定電圧、定電流直流電源装置５が非制御状態においては、定電圧動作状態および定電流動作状態を示す状態信号が出力されることはない。
【００５５】
なお、上記においてバッファ増幅器Ａ３およびＡ４を設けたのは、誤差増幅器Ａ１およびＡ２の出力端に接続される、定電圧、定電流直流電源装置５のフィードバックループに対して、定電圧、定電流動作状態を示す状態信号による影響を与えないようにするためであって、バッファ増幅器Ａ３およびＡ４を省略してもよい。
【００５６】
次に、本発明の実施の一形態にかかる定電圧、定電流状態信号出力装置の変形例について説明する。
【００５７】
図３は本発明の実施の一形態にかかる定電圧、定電流状態信号出力装置の変形例の構成を示すブロック図である。
【００５８】
本変形例の定電圧、定電流状態信号出力装置２０は、定電圧、定電流状態信号出力装置１０におけるホトカプラＰＣ１および抵抗Ｒ５に代わって、トランジスタＱ１、抵抗Ｒ７、Ｒ９およびＲ１１を用いて、トランジスタＱ１によって定電圧、定電流直流電源装置５が定電圧動作状態であることを示す状態信号を出力し、定電圧、定電流状態信号出力装置１０におけるホトカプラＰＣ２および抵抗Ｒ６に代わって、トランジスタＱ２、抵抗Ｒ８、Ｒ１０およびＲ１２を用いて、トランジスタＱ２によって定電圧、定電流直流電源装置５が定電流動作状態であること示す状態信号を出力する場合を示している。
【００５９】
定電圧、定電流状態信号出力装置１０の場合においては定電圧動作状態の状態信号および定電流動作表示動作状態の状態信号がホトカプラＰＣ１を構成する発光ダイオードとホトトランジスタによりアイソレーションがなされて出力され、かつＰＣ２を構成する発光ダイオードとホトトランジスタによりアイソレーションがなされて出力されるが、定電圧、定電流状態信号出力装置２０の場合は、この点以外は定電圧、定電流状態信号出力装置１０の場合の作用と同様である。
【００６０】
【発明の効果】
以上説明したように本発明にかかる定電圧、定電流状態信号出力装置によれば、定電圧、定電流直流電源装置が非制御状態のときには、定電圧出力状態の状態信号が出力されないために、従来必要とした誤出力を避けるためのスイッチ（Ｓ２およびＳ３）が不要となり、定電圧出力状態の検出と表示および定電流出力状態の検出と状態信号の送出が独立して行えるという効果が得られる。
【００６１】
さらに、本発明にかかる定電圧、定電流状態信号出力装置によればその構成も簡単ですむという効果がある。
【図面の簡単な説明】
【図１】本発明の実施の一形態にかかる定電圧、定電流状態信号出力装置の構成を示すブロック図である。
【図２】図１に示した定電圧、定電流状態信号出力装置の作用の説明図である。
【図３】本発明の実施の一形態にかかる定電圧、定電流状態信号出力装置の変形例の構成を示すブロック図である。
【図４】従来の定電圧、定電流状態信号出力装置の構成を示すブロック図である。
【図５】図４に示した定電圧、定電流状態信号出力装置の作用の説明図である。
【図６】従来の他の定電圧、定電流状態信号出力装置の構成を示すブロック図である。
【図７】図６に示した定電圧、定電流状態信号出力装置の作用の説明図である。
【符号の説明】
Ａ１およびＡ２  誤差増幅器
Ａ３およびＡ４  バッファ増幅器
Ｄ１〜Ｄ６  ダイオード
ＰＣ１およびＰＣ２  ホトカプラ
Ｑ１およびＱ２  トランジスタ
【図１】
0003634230.tif 000002
【図２】
0003634230.tif 000003
【図３】
0003634230.tif 000004
【図４】
0003634230.tif 000005
【図５】
0003634230.tif 000006
【図６】
0003634230.tif 000007
【図７】
0003634230.tif 000008